(57)【要約】【課題】光学的、電気的オフセットを低減し、トラッキング誤差の小さく信頼性の高い光情報記録再生装置を提供する。【解決手段】ＤＣ値比較１によりメインビームのプッシュプル信号ＭＰＰとサブビームのプッシュプル信号ＳＰＰとのＤＣ値を検出し、それらのＤＣ値を比較して、オフセット補正値を算出し、前記オフセット補正値をオフセット除去前の差動プッシュプル信号ＤＰＰａに加算することにより、オフセット除去後の差動プッシュプル信号ＤＰＰｂを生成する。【選択図】　　　　図２
2004110938.tif 000002
【特許請求の範囲】
【請求項１】
回折格子を有し、記録媒体の記録面に複数スポットを形成し情報の記録再生消去を行う光ピックアップ装置を有し、前記回折格子により生成されるメインビーム（０次光）とサブビーム（±１次光）のプッシュプル信号の差動信号からトラッキング信号を生成する手段を有し、前記サブビームと前記メインビームのＤＣオフセットを検出し比較する手段を有し、前記ＤＣオフセットの値から所定の値を前記差動信号から生成される前記トラッキング信号に加減算する手段を有し、前記トラッキング信号のＤＣオフセット補正をする手段を有することを特徴とする光情報記録再生装置。
【請求項２】
前記トラッキング信号のＤＣオフセット補正の補正値を光情報記録再生装置の初期調整データとして記憶する手段を有し、ドライブ起動時に前記補正値を取り出し、前記トラッキング信号のＤＣオフセット補正を行うことを特徴とする請求項１記載の光情報記録再生装置。
【請求項３】
前記光情報記録再生装置は、起動時に前記サブビームと前記メインビームのＤＣオフセットを比較し、前記トラッキング信号のＤＣオフセット補正を行うことを特徴とする請求項１または２に記載の光情報記録再生装置。
【請求項４】
前記光情報記録再生装置は、記録媒体挿入時に前記サブビームと前記メインビームのＤＣオフセットを比較し、前記トラッキング信号のＤＣオフセット補正を行うことを特徴とする請求項１または２に記載の光情報記録再生装置。
【請求項５】
前記サブビームと前記メインビームのＤＣオフセットを比較し、前記トラッキング信号のＤＣオフセット補正の補正量を算出する動作を複数の設定パワーに対し行い、前記設定パワーとＤＣオフセット量の相関を算出する手段を有し、発光パワーに応じた前記ＤＣオフセット量を算出し、前記発光パワーに対する適正なＤＣオフセット補正を行うことを特徴とする請求項１から４の何れか１項に記載の光情報記録再生装置。
【請求項６】
記録媒体の記録部と未記録部の境界領域において前記トラッキング信号のＤＣオフセット補正を行うことを特徴とする請求項１から５の何れか１項に記載の光情報記録再生装置。
【発明の詳細な説明】
【０００１】
【発明の属する技術分野】
本発明は、光情報記録再生装置に関し、特に光学的、電気的オフセットを低減し、トラッキング誤差の小さく信頼性の高い光情報記録再生装置に関する。
【０００２】
【従来の技術】
トラッキング誤差信号の生成方法として、差動プッシュプル（ＤＰＰ）法がある。この方法は例えば、特許文献１に開示されている。ＤＰＰ法は、回折格子により回折分離された±１次光（サブビーム）と０次光（メインビーム）をそれぞれ１／２トラックピッチごとに配置し、それらのディスク面スポットから生成されるプッシュプル信号をＳＰＰ（サブプッシュプル）、ＭＰＰ（メインプッシュプル）とすると、ＤＰＰ＝ＭＰＰ−ｋＳＰＰからトラッキング誤差信号を生成する方法である（ｋは０次光と１次光の光量差から決まる定数、ＳＰＰは±１次光からのプッシュプル信号を加えた信号）。
【０００３】
このとき、±１次光の光量アンバランスや０次光と１次光の光量アンバランスがあるとＤＰＰ信号にオフセットを生じ、トラッキング制御においてメインスポットが所定の溝中心からのずれ（オフトラック）を生じる。これは、特許文献２に記載のＳＰＰ振幅の発生しない位相シフト型ＤＰＰでも同様である。
【０００４】
そのため光量アンバランス等によるオフトラックを低減する従来技術が存在する。例えば特許文献３の技術は、サイドプッシュプル信号を生成する作動アンプの出力側に、加算比率を可変できるバランスアンプを備えて、前記バランスアンプにより各サイドプッシュプル信号の振幅を揃えて加算アンプにより加算し、その加算アンプによる加算信号とメインプッシュプル信号との差分を別の差動アンプにより演算し、トラッキング誤差信号を生成することで、グレーティングの分光比率差や調整誤差のある場合でも、オフトラックの少ないトラッキング誤差信号を生成することができるようにするものである。
【０００５】
【特許文献１】
特開平０７−０９３７６４号公報
【特許文献２】
特開２００１−２５０号公報
【特許文献３】
特開２０００−３３１３５５号公報
【０００６】
【発明が解決しようとする課題】
本発明では、上記技術とは別にこの光学的、電気的オフセットを低減し、トラッキング誤差の小さく信頼性の高い光情報記録再生装置を提供することを目的とする。具体的には、各請求項に関し次のような内容を実現することを目的とする。
【０００７】
請求項１に係る発明では、ＭＰＰとＳＰＰのＤＣオフセットを検出し比較することにより、ＳＰＰ固有のオフセット成分を補正し、ＤＰＰ信号のオフセットを低減することを目的とする。
【０００８】
請求項２に係る発明では、製造工程においてオフセット調整を行ない、ＤＰＰ信号のオフセットの補正され、信頼性の高いドライブを提供することを目的とする。
【０００９】
請求項３に係る発明では、ドライブ起動時にオフセット調整を行うことにより、ドライブ製造後、経時的に発生したオフセットを補正し、信頼性の高いドライブを提供することを目的とする。
【００１０】
請求項４に係る発明では、ディスク挿入時にオフセット調整を行うことにより、ドライブ起動後のドライブ環境温度変化により発生したオフセットを補正し、信頼性の高いドライブを提供することを目的とする。
【００１１】
請求項５に係る発明では、パワーに比例したオフセット成分を補正し、信頼性の高いドライブを提供することを目的とする。
【００１２】
請求項６に係る発明では、記録部と未記録部の境界領域で発生するオフセット成分を補正し、信頼性の高いドライブを提供することを目的とする。
【００１３】
【課題を解決するための手段】
かかる目的を解決するため、請求項１に記載の発明は、回折格子を有し、記録媒体の記録面に複数スポットを形成し情報の記録再生消去を行う光ピックアップ装置を有し、回折格子により生成されるメインビーム（０次光）とサブビーム（±１次光）のプッシュプル信号の差動信号からトラッキング信号を生成する手段を有し、サブビームとメインビームのＤＣオフセットを検出し比較する手段を有し、ＤＣオフセットの値から所定の値を差動信号から生成されるトラッキング信号に加減算する手段を有し、トラッキング信号のＤＣオフセット補正をする手段を有することを特徴とする。
【００１４】
請求項２に記載の発明は、請求項１記載の発明において、トラッキング信号のＤＣオフセット補正の補正値を光情報記録再生装置の初期調整データとして記憶する手段を有し、ドライブ起動時に補正値を取り出し、トラッキング信号のＤＣオフセット補正を行うことを特徴とする。
【００１５】
請求項３に記載の発明は、請求項１または２に記載の発明において、光情報記録再生装置は、起動時にサブビームとメインビームのＤＣオフセットを比較し、トラッキング信号のＤＣオフセット補正を行うことを特徴とする。
【００１６】
請求項４に記載の発明は、請求項１または２に記載の発明において、光情報記録再生装置は、記録媒体挿入時にサブビームとメインビームのＤＣオフセットを比較し、トラッキング信号のＤＣオフセット補正を行うことを特徴とする。
【００１７】
請求項５に記載の発明は、請求項１から４の何れか１項に記載の発明において、サブビームとメインビームのＤＣオフセットを比較し、トラッキング信号のＤＣオフセット補正の補正量を算出する動作を複数の設定パワーに対し行い、設定パワーとＤＣオフセット量の相関を算出する手段を有し、発光パワーに応じたＤＣオフセット量を算出し、発光パワーに対する適正なＤＣオフセット補正を行うことを特徴とする。
【００１８】
請求項６に記載の発明は、請求項１から５の何れか１項に記載の発明において、記録媒体の記録部と未記録部の境界領域においてトラッキング信号のＤＣオフセット補正を行うことを特徴とする。
【００１９】
【発明の実施の形態】
以下、本発明の実施の形態を図面を参照しながら詳細に説明する。
【００２０】
第１の実施例を示す。オフセット除去部分のみ示す。
ＳＰＰにＭＰＰと異なるオフセットがのっている場合、ＤＰＰ、ＭＰＰ、ＳＰＰは図１のようになる。このとき、簡単のため、メインとサブの記録面上のスポット位置は所定の位置（１／２トラックピッチずれた位置）にあり、ＭＰＰとＳＰＰの位相差はπであり、オフセットはサブ（±１次光）の光量アンバランスかメインとサブの光量アンバランスにより生じているとする（これは受光素子の電気的オフセットによっても生じる）。理想的にはＭＰＰとＳＰＰには対物レンズシフトなどの影響により同一量のオフセットが生じるので、ＭＰＰとＳＰＰの差分によりオフセットはキャンセルされる。
【００２１】
オフセット検出手段はＭＰＰとＳＰＰのＤＣ値検出ができる手段で、ピーク、ボトムホールドから中心値を求める手段、ローパスフィルターを用いる手段、積算して平均値を求める手段などがある。これらの手段によりＭＰＰ、ＳＰＰのＤＣ値ΔＭ、ΔＳを求め、Δ＝ΔＭ−ΔＳをオフセット補正値としてＤＰＰ信号に加算することにより、ＤＰＰのオフセットを補正することができる。回路ブロックの例を図２に示す。ＤＰＰａがオフセット除去前のＤＰＰ信号で、ＤＰＰｂがオフセット除去後のＤＰＰ信号である。オフセットの除去はＤＰＰａを生成する演算部分で一気に行うことも可能である。
【００２２】
この補正は、トラッキング中の信号を用いても同様に行うことができる。
【００２３】
第２の実施例を示す。
第１の実施例のルーチンをドライブ組付け工程で行う。このとき、トラック溝を有する記録型のメディアの未記録部または記録部を用い、ＳＰＰのゲインであるｋの調整を行なった後にＤＣオフセット調整を行うことにより、ゲインｋの調整により変化したＳＰＰのオフセット量を含めてオフセット調整を行うことができる。このときのオフセット調整値をドライブ自身が持つメモリ装置に保存し、ドライブ起動時にこの値を参照しオフセット補正を行う。
【００２４】
第３の実施例を示す。
第１または第２の実施例のルーチンをドライブ起動後最初にＤＰＰトラッキングを行うべきメディアが挿入された時に行う。メディアが挿入されたまま終了していたドライブは、起動直後に行う。このときのオフセット調整値をドライブ自身が持つメモリ装置に保存し、起動中は常にこの値を参照しオフセット補正を行う。
【００２５】
第４の実施例を示す。
第１または第２の実施例のルーチンをＤＰＰトラッキングを行うべきメディアが挿入されるたびに行う。このときのオフセット調整値をドライブ自身が持つメモリ装置に保存されるが、別のメディアが挿入された場合には、新たにそのメディアでオフセット補正を行う。補正すべきオフセット値は挿入されているメディアのみに適用しオフセット補正を行う。
【００２６】
第５の実施例を示す。
ＤＰＰトラッキングを行うべきメディアが挿入された場合、まず、再生パワー（例えば対物レンズ出射パワー１ｍＷ）で光源を発光させ、第１または第２の実施例のルーチンを行ない、そのパワーとそのパワーでのオフセット調整値をドライブ自身が持つメモリ装置に保存する。次に、再生パワーより高いパワーでかつ、記録メディアに変化を与えない（記録しない）パワーでオフセット取得動作を行ない、そのパワー（パワー設定値）とそのパワーでのオフセット調整値をドライブ自身が持つメモリ装置に保存する。この動作を異なるパワーで複数点行ない、複数のパワーとオフセットの配列から回帰近似またはその他有効な近似方法を用いてパワーとオフセットの関係を計算し、その係数を保存する。その係数をもとに、再生または記録時に発光パワーに対し適切なオフセット値を計算しオフセット補正を行う。
【００２７】
複数パワーでオフセット値を取得する場合、再生パワーより低いパワーでオフセット値検出を行う構成、または再生パワーより低いパワーも交えてオフセット値検出を行う構成でもよい。
【００２８】
また、記録ディスクには最適記録パワーを導出するための試し書き領域（ＯＰＣ領域）が設定されている場合が多いので、そのＯＰＣ領域で記録パワーを用いてオフセット検出を行う構成も考えられる。このとき、複数の記録パワーに対してそのパワー（パワー設定値）とそのパワーでのオフセット調整値を求め、上記と同様にパワーとオフセットの関係を求め、記録時発光パワーに対し適切なオフセット値を計算しオフセット補正を行う。
【００２９】
第６の実施例を示す。
ディスクが挿入された時、記録済みメディア（追記可能）の場合は、記録部と未記録部の境界領域にシーク動作し、その境界領域にトラッキング動作を行ない、ＭＰＰ、ＳＰＰのＤＣ値ΔＭ、ΔＳを求め、Δ＝ΔＭ−ΔＳをオフセット補正値としてＤＰＰ信号に加減差算することにより、ＤＰＰのオフセットを補正することができる。このとき、ＯＰＣ領域が存在すれば、そのＯＰＣ領域に記録部が存在するので、その記録部と未記録部の境界領域で上記オフセット補正を行う構成でも良い。未記録ディスクの場合は、ＯＰＣ領域で試し書きを行なった直後の記録部と未記録部の境界領域で上記オフセット補正を行う構成が考えられる。
【００３０】
上記記録部と未記録部の境界領域での補正は、第３、第４の実施例のタイミングで実施する構成が考えられる。
【００３１】
また、ＯＰＣ（試し書き）をしながら上記オフセット補正値を求める動作を行う構成も考えられる。
【００３２】
【発明の効果】
以上の説明からも明らかなように、本発明の内容を実施することでつぎに述べる効果が得られる。
【００３３】
請求項１に係る発明によれば、ＭＰＰとＳＰＰのＤＣオフセットを検出し比較することにより、ＳＰＰ固有のオフセット成分を算出しＤＰＰ信号のオフセット補正を行うことにより、記録面上の溝とスポットのずれ（オフトラック）が小さく、精度の高いトラッキング動作を行うことができ、記録再生とも信頼性の高いドライブを提供することができる。
【００３４】
請求項２に係る発明によれば、製造工程においてＤＰＰ信号のオフセット調整を行うことにより、初期的に信頼性の高いドライブを提供することができる。
【００３５】
請求項３に係る発明によれば、ドライブ起動時にＤＰＰ信号のオフセット調整を行うことにより、ドライブ製造後、経時的に発生したオフセットを補正することができ、信頼性の高いドライブを提供することができる。
【００３６】
請求項４に係る発明によれば、ディスク挿入時にＤＰＰ信号のオフセット調整を行うことにより、ドライブ起動後のドライブ環境温度変化により発生したオフセットを補正することができ、信頼性の高いドライブを提供することができる。
【００３７】
請求項５に係る発明によれば、パワーに比例したＤＰＰ信号のオフセット成分を補正することができ、記録再生どちらの場合もオフトラックが小さく、精度の高いトラッキング動作を行うことができ、信頼性の高いドライブを提供することができる。
【００３８】
請求項６に係る発明によれば、記録部と未記録部の境界領域で発生するＤＰＰ信号のオフセット成分を補正することができ、記録再生どちらの場合もオフトラックが小さく、精度の高いトラッキング動作を行うことができ、信頼性の高いドライブを提供することができる。
【図面の簡単な説明】
【図１】本発明の実施の形態に関するＭＰＰ、ＳＰＰ、ＤＰＰの信号図である。
【図２】本発明の光情報記録再生装置の回路ブロックの一例である。
【符号の説明】
１　ＤＣ値比較
【図１】
2004110938.tif 000003
【図２】
2004110938.tif 000004